(57)【要約】【課題】  光スイッチの光路切替方向が容易に検知でき、切替方向の電気信号が得られる光スイッチを提供する。【解決手段】  光ファイバー切替機構部に、１本以上の可動側ダミー光ファイバーと１本以上の固定側ダミー光ファイバーを追加し、可動側ダミー光ファイバーには投光器、固定側ダミー光ファイバーには受光器が設けられている。投光器から出た光は可動側ダミー光ファイバーを通り、対向する固定側ダミー光ファイバーに入り受光器で電気信号に変換される。受光器から出た電気信号で光ファイバーの切替動作方向を認識することができる【選択図】      図１
2006243540.tif 000002
【特許請求の範囲】
【請求項１】
複数の固定側光ファイバーに対して、少なくとも１本の可動側光ファイバーを移動させ
て接続する光ファイバー切替機構部を有し、前記光ファイバー切替機構部を収納するパッ
ケージを備える光スイッチであって、光ファイバー切替機構部に１本以上の固定側ダミー
光ファイバーと、１本以上の可動側ダミー光ファイバーを設け、可動側ダミー光ファイバ
ーは可動側光ファイバーと連動し、ダミー光ファイバーに設けられた投光器と受光器によ
り光ファイバーの切替動作方向を認識できる電気信号が得られることを特徴とする光スイ
ッチ。
【請求項２】
ダミー光ファイバーに設けられた投光器より出射される光は、３８０ｎｍ以上７８０ｎ
ｍ以下の波長を有することを特徴とする請求項１に記載の光スイッチ。
【発明の詳細な説明】
【技術分野】
【０００１】
本発明は光通信の分野等で用いる光スイッチに関する。
【背景技術】
【０００２】
光通信の発達に伴って、光ファイバー通信網は長い光路と複雑な分岐を持つようになっ
た。このような環境では光通信装置や光伝送装置内において、回線間で光ファイバーの光
路（伝送経路）を切替る用途が増大し、多くの光スイッチが用いられている。光スイッチ
を切替方式でみると、電気的あるいは光学的に光路の屈折率や位相を変化させて光の進行
方向を切替る方式のものや、機械的に光路を移動させて光の進行方向を切替る方式のもの
等が開発されている。精密な駆動を実現する低損失な光スイッチとしては、後者の機械式
光スイッチが有望である。光スイッチを分岐の数でみると、１本の入力光ファイバーを２
本の出力光ファイバーに動かして切替る１×２型光スイッチや、多数の光ファイバーの端
面を対向させた１×ｍ型光スイッチあるいはｎ×ｍ型光スイッチ等がある。また、切替の
目的は、通常の回線切替の他に、断線した伝送経路を別の断線していない経路に切替る障
害復旧用途や、建物内や地域内の光通信ネットワークの回線を切替る保守点検用途等にも
用いられている。
【０００３】
従来の機械式光スイッチは、特許文献１に開示されている。図６に展開斜視図、図７に
図６のｋ−ｋ’断面図、図８に蓋と可動ブロックの上部および固定ブロックの上部を取り
除いた光スイッチの平面図を示す。光スイッチ１’は筐体２と蓋３で構成されるバッケー
ジに、光ファイバー切替機構部が組込まれた構造となっている。光ファイバー切替機構部
は、光ファイバーと光ファイバーを保持するブロック、光ファイバーを移動や保持する磁
気回路等からなっている。筐体２に設けられた外部端子４から光ファイバー切替信号が入
力され、外部端子４と繋がる内部端子５から駆動コイル１０に信号が伝わり、電磁力を発
生し可動ブロック１１が移動し光ファイバーの切替動作が行われる。内部端子５と駆動コ
イル１０を接続する金属線の図示は省略している。
【０００４】
図７と図８を用いて光ファイバー切替動作と位置決め方法等に付いて詳細に説明する。
べース板２０には、可動側光ファイバー１４を挟持する固定ブロックＡ１２と、固定側光
ファイバー１５を挟持する固定ブロックＢ１３、図７には、図示はしていないが磁気ヨー
ク１６や駆動コイル１０、永久磁石１７から構成される磁気回路が接着固定されている。
可動側光ファイバー１４の先端部には可動ブロック１１がベース板２０より浮いた状態で
設けられている。可動ブロック１１は固定ブロックＢ１３から突出た規制ピン１８で保持
され、ベース板より浮いた状態を保持している。規制ピン１８で、固定側光ファイバー１
５と可動側光ファイバー１４の高さ方向の位置を合わせている。駆動コイル１０に切替信
号が入力されると図８の可動ブロック１１が実線で示した位置から破線の位置に移動し、
光路の切替が終了する。規制ピン１８で可動ブロック１１の移動および停止位置は規制さ
れ、固定側光ファイバー１５と可動側光ファイバー１４の位置合せが行われる。破線の位
置に移動した可動ブロック１１は、永久磁石１７の磁力により磁気ヨーク１６に吸引され
次の光ファイバー切替信号が入力されるまで破線の位置に保持される。
【０００５】
【特許文献１】特開平１１−３２６７９６号公報    図１
【発明の開示】
【発明が解決しようとする課題】
【０００６】
光路の保守点検等で、光スイッチの切替動作方向を知る必要が出て来た場合でも、従来
の光スイッチでは容易に知ることが出来なかった。固定側光ファイバー１５と可動側光フ
ァイバー１４の突合せ部に外部から光が入るとノイズとなるため、外部光を遮断するため
パッケージの筐体２と蓋３は不透明な材質で構成されている。可動ブロック１１の位置を
視認することができれば切替動作方向を知ることができるが、不透明なパッケージのため
外から見ることはできなかった。例え視認できたとしても、切替動作方向を電気信号で取
り出すことはできなかった。
【０００７】
光路切替時に駆動コイルに流れる直流電流の方向を検知し、切替動作方向を知ることは
可能であるが、駆動コイルに流れる電流は一時的であるため電流の流れた方向つまり切替
方向を何らかの手段で記憶や表示をする必要がある。切替動作方向の記憶や表示を行う装
置は、大掛かりなものとなるだけでなく、停電時や作業場所の制限があるときは、確実に
作動する保証も低いものであった。可動ブロックや可動側光ファイバーの近傍に電気接点
を設け、切替信号により可動ブロックや可動側光ファイバーが動き、その動きで電気接点
を作動させて切替動作方向の電気信号を得る方法等が考えられる。しかし、光スイッチの
パッケージ内には屈折率整合材であるオイルが充填されることが多い。該オイルは電気絶
縁性のため電気接点から隔絶する必要があり、構造的に複雑となるだけでなく動作の信頼
性も低いものとなるため、実用化されていないのが現状である。
【０００８】
本発明の目的は、光スイッチの光路切替方向が容易に検知でき、切替動作方向の電気信
号が得られる光スイッチを提供することにある。
【課題を解決するための手段】
【０００９】
本発明の光スイッチは、複数の固定側光ファイバーに対して、少なくとも１本の可動側
光ファイバーを移動させて接続する光ファイバー切替機構部を有し、前記光ファイバー切
替機構部を収納するパッケージを備える光スイッチであり、光ファイバー切替機構部に１
本以上の固定側ダミー光ファイバーと、１本以上の可動側ダミー光ファイバーを設け、可
動側ダミー光ファイバーは可動側光ファイバーと連動して移動し、ダミー光ファイバーに
設けられた投光器と受光器により光ファイバーの切替動作方向を認識できる電気信号が得
られることが好ましい。
【００１０】
前記光ファイバー切替機構部に、１本以上の可動側ダミー光ファイバーと１本以上の固
定側ダミー光ファイバーを追加で設け、可動側ダミー光ファイバーには投光器、固定側ダ
ミー光ファイバーには受光器が設けられる。投光器から出た光は可動側ダミー光ファイバ
ーを通り、対向する固定側ダミー光ファイバーに入り受光器で電気信号に変換される。受
光器から出た電気信号で光ファイバーの切替動作方向を認識することができる。
【００１１】
可動側ダミー光ファイバーと固定側ダミー光ファイバー各々１本で切替動作方向を、検
出することができる。可動側光ファイバーと固定側光ファイバーＡが対向している状態を
動作ａ、駆動コイルに光ファイバー切替信号が入り可動ブロックが移動し、可動側光ファ
イバーと固定側光ファイバーＢが対向した状態を動作ｂとする。動作ａの状態で投光器か
ら出た光は可動側ダミー光ファイバーを通り、対向する固定側ダミー光ファイバーに入り
受光器で電気信号に変換される。切替信号が入り動作ｂになると、可動側ダミー光ファイ
バーから出た光は固定ブロックの面に当り反射や散乱、減衰を起こし、固定側ダミー光フ
ァイバーには入らない。そのため、受光器から電気信号は得られない。受光器からの電気
信号があれば、動作ａ状態、電気信号が無ければ動作ｂ状態であることが判る。勿論、固
定側ダミー光ファイバー位置を変えて、動作ａ状態で電気信号がなく、動作ｂで電気信号
がある様にすることもできる。
【００１２】
可動側ダミー光ファイバーと固定側ダミー光ファイバー各々１本と、投光器と受光器も
各１個で良いため製造コスト的には安くすることができる。しかし、動作ａの状態の時で
、投光器もしくは受光器が故障した場合、受光器から出力は得られないため、動作ａ状態
で有るにも係わらず動作ｂ状態と判断してしまう可能がある。この場合、故障したのが投
光器か受光器かを調べるのは容易ではなく、各々を交換しながら調べて修理する必要があ
る。
【００１３】
可動側ダミー光ファイバーを１本、固定側ダミー光ファイバーを２本とすることで、よ
り確実に光ファイバーの切替動作方向を認識することができる。動作ａでは可動側ダミー
光ファイバーと固定側ダミー光ファイバーＡが対向し、投光器から出た光は固定側ダミー
光ファイバーＡに接続された受光器Ａで電気信号に変換され出力される。光ファイバー切
替信号が入り動作ｂになると、可動側ダミー光ファイバーと固定側ダミー光ファイバーＢ
が対向し、投光器から出た光は固定側ダミー光ファイバーＢに接続された受光器Ｂで電気
信号に変換され出力される。動作ａでは受光器Ａから、動作ｂでは受光器Ｂから切替動作
信号となる電気信号が得られるものである。
【００１４】
受光器ＡとＢが同時に故障する確率は非常に低いため、受光器ＡとＢの出力を見ること
で容易に故障した部品が、投光器か受光器か判断することができる。動作ａ，ｂ状態で受
光器Ａ，Ｂ何れからも出力が無ければ投光器の故障、受光器Ａ，Ｂのどちらか出力が無け
れば出力のない受光器の故障と容易に判断できる。
【００１５】
可動側光ファイバー２本固定側光ファイバー４本の２×４光スイッチを、可動側光ファ
イバー１本固定側光ファイバー２本と、可動側ダミー光ファイバー１本固定側ダミー光フ
ァイバー２本として用いることもできる。つまり、切替動作信号なしの２×４光スイッチ
を、切替動作信号付きの１×２光スイッチとすることができる。２×４光スイッチで組立
時に何らかの不具合があり、一方の可動側光ファイバーと固定側光ファイバーの挿入損失
は仕様内だが、他方が仕様外であれば２×４光スイッチとしては不良品となった。挿入損
失等の特性が厳しく決められている光ファイバー側に比べ、閾値以上の信号が得られれば
良いダミー光ファイバー側は、挿入損失が大きくても充分使用することができる。止む無
く不良処理していた２×４光スイッチに投光器と受光器を取り付けることで、切替動作信
号が得られる１×２光スイッチとすることも可能となる。
【００１６】
可動側ダミー光ファイバーと固定側ダミー光ファイバー各々２本とすることもできる。
動作ａ状態で、可動側ダミー光ファイバーＡと固定側ダミー光ファイバーＡが対向し、受
光器Ａから切替動作信号が出る。光ファイバー切替信号が入り動作ｂ状態になると、可動
側ダミー光ファイバーＢと固定側ダミー光ファイバーＢが対向し、受光器Ｂから切替動作
信号が出る。動作ａでは受光器Ａから、動作ｂでは受光器Ｂから切替動作信号となる電気
信号が得られるものである。
【００１７】
本発明の光スイッチに設けられた投光器より出る光はファイバー内を透過する光信号波
長と異なる事が好ましく、専ら光通信に使用される８５０ｎｍ以上の赤外光に対して、投
光器の光波長は光通信の波長と異なる３８０ｎｍ以上７８０ｎｍ以下の波長であることが
好ましい。
【００１８】
動作ａの状態で投光器から出た光は受光器に入り電気信号に変換されるが、動作ｂでは
光は固定ブロックの面に当り反射や散乱、減衰を起し、固定側ダミー光ファイバーには入
らない構成の場合、反射や散乱した光が可動側光ファイバーと固定側光ファイバーの対向
部に当ると、光ファイバー内を通る８５０〜１６００ｎｍの光信号に対しノイズとなる。
対向部に投光器の光が当っても、光ファイバー内を通る８５０〜１６００ｎｍの光信号と
異なった、３８０ｎｍ以上７８０ｎｍ以下波長領域の光であればノイズとならない。３８
０ｎｍ以上７８０ｎｍ以下波長領域の光を容易に得られるのは、ＬＥＤランプである。赤
や緑、青の単色光でも良いし、赤、緑、青の波長を約３：７：１の発光強度で組合せて白
色光としたものでも良い。受光器は、３８０ｎｍ以上７８０ｎｍ以下波長領域の光を電気
に変換できるフォトダイオードを使用することができる。
【００１９】
投光器のから出る光波長を３８０ｎｍ以上７８０ｎｍ以下の可視光領域とすることで、
取扱いが容易なプラスチック光ファイバーをダミー光ファイバーに使用することもできる
。プラスチック光ファイバーはコア部が大きいため、ガラス製の光ファイバーに比べ対向
させるのが容易である。挿入損失等の特性が厳しく決められている光ファイバー側に比べ
、閾値以上の信号が得られれば良いダミー光ファイバー側を、プラスチック光ファイバー
とすることで、可動ブロックや固定ブロックの加工や組立精度を下げることもでき、製造
歩留りの向上や製造コストの低下が得られる。
【発明の効果】
【００２０】
複数の固定側光ファイバーに対して、少なくとも１本の可動側光ファイバーを移動させ
て接続する光ファイバー切替機構部に、１本以上の可動側ダミー光ファイバーと固定側光
ファイバーを設け、光ファイバー切替機構部で可動側ダミー光ファイバーは可動側光ファ
イバーと連動して移動させる。ダミー光ファイバーに設けられた投光器と受光器により光
ファイバーの切替動作方向を認識できる電気信号が得られた。投光器から出る光を３８０
ｎｍ以上７８０ｎｍ以下の波長領域とすることで、光ファイバー内を通る８５０〜１６０
０ｎｍの光信号に影響を与えることは無かった。
【発明を実施するための最良の形態】
【００２１】
以下、図面を用いて本発明の実施の形態を詳細に説明する。説明を判り易くするため、
同一の部品、部位には同じ符号を用いている。
【実施例１】
【００２２】
図１に本発明の光スイッチの展開斜視図を示す。図２に図１のｍ−ｍ’断面図。図３に
蓋と可動ブロックの上部および固定ブロックの上部を取り除いた光スイッチの平面図を示
す。図１に示す様に、光スイッチ１は筐体２と蓋３で構成されるパッケージに、光ファイ
バー切替機構部が組込まれた構造となっている。筐体２に設けられた外部端子４から光フ
ァイバー切替信号が入力され、内部端子５から駆動コイル１０に信号が伝わり、電磁力を
発生し可動ブロック１１を移動し光ファイバーの切替を行わせた。内部端子５と駆動コイ
ル１０を接続する金属線の図示は省略した。光ファイバー切替機構部には、ガラス製の可
動側ダミー光ファイバー４４と固定側ダミー光ファイバー４５を、１００μｍ離して対向
させている。可動側ダミー光ファイバー４４の端部に投光器５２を、固定側ダミー光ファ
イバー４５の端部に受光器５３を設けた。投光器５２には波長６３０ｎｍの赤色ＬＥＤを
、受光器５４にはフォトダイオードを用いた。
【００２３】
図２は、図１のｍ−ｍ’断面図である。光ファイバー切替機構部の土台となるベース板
２０には、可動側光ファイバー１４と可動側ダミー光ファイバー４４を挟持する固定ブロ
ックＡ１２と、固定側光ファイバー１５と固定側ダミー光ファイバー４５を挟持する固定
ブロックＢ１３、図示はしていないが磁気ヨーク１６や駆動コイル１０、永久磁石１７か
ら構成される磁気回路を接着固定した。可動側光ファイバー１４と可動側ダミー光ファイ
バー４４の先端部には可動ブロック１１をベース板２０より浮いた状態に設けた。可動ブ
ロック１１は固定ブロックＢ１３から突出た規制ピン１８で保持され、ベース板２０より
浮いた状態を保持している。規制ピン１８は、固定側光ファイバー１５と可動側光ファイ
バー１４と、固定側ダミー光ファイバー４５と可動側ダミー光ファイバー４４の高さ方向
の位置を合わせている。
【００２４】
図３に、蓋３と可動ブロックの上部および固定ブロックの上部を取り除いた光スイッチ
の平面図を示し、光スイッチの切替と切替動作信号の得方を説明する。図３は、動作ａ状
態を示す実線矢印方向に可動ブロック１１が位置している。可動側光ファイバー１４は固
定側光ファイバーＡ１５’と対向接続されている。可動側ダミー光ファイバー４４は固定
側ダミー光ファイバー４５と対向接続されており、投光器５２から出た光は受光器５３に
入り電気信号が出力された。駆動コイル１０に光ファイバー切替信号が入ると、可動ブロ
ック１１は動作ｂ状態を示す破線矢印方向に移動する。動作ｂでは、可動側光ファイバー
１４は固定側光ファイバーＢ１５”と対向接続され、光路の切替が行われる。可動側ダミ
ー光ファイバー４４は対向接続される固定側ダミー光ファイバーがないため、可動側ダミ
ー光ファイバー４４から出た光は、固定ブロックＢ１３の側面で乱反射と減衰を起こす。
動作ｂでは受光器５３からの電気信号の出力はなかった。動作ａでは受光器５３から電気
信号があり、動作ｂでは受光器５３から電気信号がないと言う状況を得ることで、切替動
作信号とすることができた。
【００２５】
動作ｂでは、可動側ダミー光ファイバー４４から出た光は、固定ブロックＢ１３の側面
で乱反射と減衰を起こす。固定ブロックＢ１３には単結晶マンガン亜鉛フェライトを用い
、乱反射と光の減衰率上げるためＲａ１．３μｍの切断面とした。また、可動ブロック１
１の固定ブロック側の側面も、乱反射と光の減衰率上げるためＲａ１．３μｍの切断面と
した。投光器から出る光を波長６３０ｎｍの赤色としたことと、光が反射する面を粗くし
たことで、動作ｂ状態でも投光器から出た光が、光ファイバーを通る１５３０〜１５８０
ｎｍには何ら影響を与えることは無かった。
【実施例２】
【００２６】
本発明の他の実施例として、可動側ダミー光ファイバー１本固定側ダミー光ファイバー
２本の光スイッチを図４に示し、動作を説明する。実施例に用いたのは２×４光スイッチ
で、一方の可動側光ファイバーの挿入損失が仕様より２ｄＢ悪く不良品として処理したも
のである。挿入損失が仕様から外れた方を、可動側ダミー光ファイバーと固定側ダミー光
ファイバーに転用した。図４に示す様に、可動側ダミー光ファイバー４４には投光器５２
を設けた。投光器５２から出る光は、赤、緑、青の波長を約３：７：１の発光強度で組合
せた白色ＬＥＤ光である。可動側ダミー光ファイバー４４と対向する固定側ダミー光ファ
イバーＡ４５’およびＢ４５”には、受光器５３’と５３”を設けた。
【００２７】
実線矢印方向の動作ａ状態では、可動側光ファイバー１４は固定側光ファイバーＡ１５
’と対向接続し、同時に可動側ダミー光ファイバー４４は固定側ダミー光ファイバーＡ４
５’と対向接続した。投光器５２から出た光は受光器Ａ５３’に入り、電気信号が得られ
た。駆動コイル１０に光ファイバー切替信号が入ると、可動ブロック１１は動作ｂ状態を
示す破線矢印方向に移動する。可動側光ファイバー１４は固定側光ファイバーＢ１５”と
対向接続し、同時に可動側ダミー光ファイバー４４は固定側ダミー光ファイバーＢ４５”
と対向接続した。投光器５２から出た光は受光器Ｂ５３”に入り、電気信号が得られた。
動作ａでは受光器Ａ５３’から、動作ｂでは受光器Ｂ５３”から電気信号が得られること
で、確実に切替動作信号を得ることができた。
【実施例３】
【００２８】
本発明の他の実施例として、可動側ダミー光ファイバー２本固定側ダミー光ファイバー
２本の光スイッチを図５に示し、動作を説明する。実線矢印方向の動作ａ状態で、受光器
から電気信号が出るダミー光ファイバー系と、破線矢印方向の動作ｂ状態で受光器から電
気信号が出るダミー光ファイバー系の２系統を有すものである。可動側ダミー光ファイバ
ーが２本となるので、本実施例では可撓性の良いプラスチック光ファイバーを用いた。プ
ラスチック光ファイバーを用いたので、可動側の光ファイバーが３本になったが、駆動コ
イル１０に流す光ファイバー切替信号の電圧（電流）を大きくしなくても、可動ブロック
１１を移動することができた。プラスチック光ファイバーは光の通るコア部面積が大きい
ため、可動ブロック１１や固定ブロックＢ１３のダミー光ファイバーを保持する溝等の加
工精度を、ガラス製の光ファイバー用に比べ約１桁落すことができた。投光器Ａ，Ｂには
、６１１ｎｍの橙色のＬＥＤを用いた。
【００２９】
実線矢印方向の動作ａ状態では、可動側光ファイバー１４は固定側光ファイバーＡ１５
’と対向接続する。同時に可動側ダミー光ファイバーＡ４４’は固定側ダミー光ファイバ
ーＡ４５’と対向接続し、投光器Ａ５２’から出た光が受光器Ａ５３’に入り、電気信号
が得られた。可動側ダミー光ファイバーＢ４４”は固定側ダミー光ファイバーＢ４５”と
は対向接続せず、投光器Ｂ５２”から出た光は固定ブロックＢ１３の側面で、乱反射と減
衰を起す。受光器Ｂ５３”から電気信号は出て来ない。駆動コイル１０に光ファイバー切
替信号が入ると、可動ブロック１１は動作ｂ状態を示す破線矢印方向に移動する。可動側
光ファイバー１４は固定側光ファイバーＢ１５”と対向接続し光路が切替る。同時に可動
側ダミー光ファイバーＡ４４’と固定側ダミー光ファイバーＡ４５’の対向接続は切断さ
れ、受光器Ａ５３’から出ていた電気信号はなくなった。可動側ダミー光ファイバーＢ４
４”は固定側ダミー光ファイバーＢ４５”と対向接続し、受光器Ｂ５３”から電気信号が
得られた。動作ａでは受光器Ａ５３’から、動作ｂでは受光器Ｂ５３”から電気信号が得
られることで、確実に切替動作信号を得ることができた。
【００３０】
実施例１〜３では、１×２光スイッチに切替動作信号を得るためのダミー光ファイバー
と投光器、受光器を設けた例で説明してきた。１×２光スイッチに限らず、可動側光ファ
イバーがｎ本、固定側光ファイバーｍ本のｎ×ｍ光スイッチにも実施例１〜３で示した切
替動作信号を得る方法は有効であった。また、可動側ダミー光ファイバーに投光器を、固
定側ダミー光ファイバーに受光器を設けることで、実施例１〜３は説明してきた。詳細の
説明は省略するが、投光器を固定側ダミー光ファイバーに、受光器を可動側光ファイバー
にと、逆に配置した光スイッチを試作し、切替動作信号が実施例１から３と同様に得られ
ることが確認できている。
【図面の簡単な説明】
【００３１】
【図１】本発明の光スイッチの展開斜視図である。
【図２】図１のｍ−ｍ’断面図である。
【図３】本発明の光スイッチの平面図である。
【図４】本発明の実施例２の光スイッチの平面図である。
【図５】本発明の実施例３の光スイッチの平面図である。
【図６】従来の光スイッチの展開斜視図である。
【図７】図６のｋ−ｋ’断面図である。
【図８】従来の光スイッチの平面図である。
【符号の説明】
【００３２】
１，１’光スイッチ、２筐体、３  蓋、４  外部端子、５  内部端子、
１０  駆動コイル、１１  可動ブロック、１２  固定ブロックＡ、
１３  固定ブロックＢ、１４  可動側光ファイバー、
１５，１５’，１５”  固定側光ファイバー、１６  磁気ヨーク、１７  永久磁石、
１８  規制ピン、２０  ベース板、４４，４４’、４４”  可動側ダミー光ファイバー、
４５，４５’、４５”  固定側ダミー光ファイバー、５２，５２’，５２”  投光器、
５３，５３’，５３”  受光器。
【図１】
2006243540.tif 000003
【図２】
2006243540.tif 000004
【図３】
2006243540.tif 000005
【図４】
2006243540.tif 000006
【図５】
2006243540.tif 000007
【図６】
2006243540.tif 000008
【図７】
2006243540.tif 000009
【図８】
2006243540.tif 000010